(57)【要約】      （修正有）【課題】自動販売機により販売される商品を確実にカウントし、その販売情報を収集してセンターに収集することが可能な商品販売情報収集システムを提供する。【解決手段】商品販売情報収集システムとして、コイン投入口３と、商品購入指示操作部と、商品出口部５とが設けられた筐体と、筐体内部に組み込まれ、商品の販売数量をカウントするためのカウンタ７と、カウンタに接続されカウンタ値のデータが集積されるデータ保持部と、保持されたデータをセンターへ送信する通信部とを有し、当該カウンタにおけるカウント値を集計してセンターへ送信するリーダライタ８とを備える。これにより、人手を使うことなく商品販売情報が自動的にセンタへ収集され、商品販売情報の収集が迅速且つ確実に行われる。【選択図】図１
0003172472.tif 000002
【実用新案登録請求の範囲】
【請求項１】
コイン投入口と、商品購入指示操作部と、商品出口部と、金庫ボックスとが設けられた筐体と、
筐体内部に組み込まれ、商品の販売数量をカウントするためのカウンタと、
カウンタに接続されカウンタ値のデータが集積されるデータ保持部と、保持されたデータをセンターへ送信する通信部とを有し、当該カウンタにおけるカウント値を集計してセンターへ送信するリーダライタと、を備え、
前記カウンタは、コイン投入口におけるコインの投入、商品購入指示操作部における操作、または商品出口部における商品の排出のいずれか一つを検知して商品の販売を検出し、この検出結果に基づいて商品の販売数量をカウントするとともにそのデータをリーダライタに送信し、また、
前記リーダライタは、カウンタから受け取ったデータを保持して、オペレータの指示、またはセンターからの指示、或いは所定の期間を経過すると自動的に、保持しているデータをセンターへ送信し、
センターではリーダライタから送付されたデータをサーバへ格納する、
ことを特徴とする商品販売情報収集システム。
【請求項２】
前記カウンタは、商品出口部における商品の排出を検知する場合は、商品出口部付近にＩＣチップ用スキャナを配置し、また商品にはＩＣタグを設け、商品が商品出口部から排出されるときに商品に設けられたＩＣタグを読み取ってカウント動作を行うことを特徴とする請求項１記載の商品販売情報収集システム。
【請求項３】
前記カウンタは、商品出口部における商品の排出を検知する場合は、商品出口部付近にＱＲコード用スキャナを配置するとともに、商品出口部付近の商品排出管の内面に鏡面部を設け、また商品にはＱＲコードを設け、商品が商品出口部から排出されるときに商品に印刷したＱＲコードを読み取ってカウント動作を行うことを特徴とする請求項１記載の商品販売情報収集システム。
【考案の詳細な説明】
【技術分野】
【０００１】
本考案は、商品販売情報収集システム、特に人の手を使わなくても各所に設置した自動販売機において販売された商品の販売情報を確実に収集してセンターに送ることが可能な商品販売情報収集システムに関するものである。
【背景技術】
【０００２】
従来、商品を自動販売機により販売する方法にあっては、それぞれの自動販売機における商品の販売数を集計したり在庫数を確認したりするには、商品を補給する作業員が１台、１台記録して集計を行い、それらのデータを集めて商品販売情報として収集していた。このような人手と手間を要する商品販売情報収集方法を改善するための方法が提案されている(例えば、特許文献１参照)。
【特許文献１】特開２００２−２６９５９７号公報
【考案の概要】
【考案が解決しようとする課題】
【０００３】
しかしながら、上記従来技術においては、販売情報として、金額を取り扱うものであるから、販売額すなわち、販売情報としての数字が間違いなく収集されれば、目的を達成することができる。よって、現実の商品の売り上げ個数を把握するために自動販売機から排出される商品をカウントしなければならないような自動販売機においてもその技術をそのまま適用しようとすることには無理が生じ、実際的ではない。
【０００４】
本考案は、上述したような事情に鑑みてなされたものであり、その目的は、自動販売機により販売される商品を確実にカウントし、その販売情報を収集してセンターに送信することが可能な一方で、リセット機能を有する商品販売情報収集システムを提供することにある。
【課題を解決するための手段】
【０００５】
上記目的を達成するため、本考案は商品販売情報収集システムとして、コイン投入口と、商品購入指示操作部と、商品出口部と、金庫ボックスとが設けられた筐体と、筐体内部に組み込まれ、商品の販売数量をカウントするためのカウンタと、カウンタに接続されカウンタ値のデータが集積されるデータ保持部と、保持されたデータをセンターへ送信する通信部とを有し、当該カウンタにおけるカウント値を集計してセンターへ送信するリーダライタとを備えたことを要旨とする。この商品販売情報収集システムにおいて、カウンタは、コイン投入口におけるコインの投入、商品購入指示操作部における操作、または商品出口部における商品の排出のいずれか一つを検知して商品の販売を検出し、この検出結果に基づいて商品の販売数量をカウントするとともにそのデータをリーダライタに送信し、また、リーダライタは、カウンタから受け取ったデータを保持して、オペレータの指示、またはセンターからの指示、或いは所定の期間を経過すると自動的に、保持しているデータをセンターへ送信し、センターではリーダライタから送付されたデータをサーバへ格納する。上記所定の期間はセンターの指令で設定可能であり、また、何処の場所にどの自動販売機が設置されているかの設定も可能である。これにより、人手を使うことなく商品販売情報が自動的にセンタへ収集され、商品販売情報の収集が迅速且つ確実に行われる。
【０００６】
本考案はまた別の態様として、カウンタは、商品出口部における商品の排出を検知する場合は、商品出口部付近にＩＣチップ用スキャナを配置し、また商品にはＩＣタグを設け、商品が商品出口部から排出されるときに商品に設けられたＩＣタグを読み取ってカウント動作を行うようにすることができる。これにより、商品の販売数量のみならず、販売場所、などのデータも一緒に収集することができ、商品販売に関する分析などに役立てることができる。
【０００７】
さらに別の態様として、商品に関する情報を大量に入力し得るＱＲコードおよびＱＲコード用スキャナを用い、上記ＩＣチップの場合と同様にカウント動作を行うようにすることができる。これにより、商品の販売数量のみならず、販売場所、などのデータも一緒に収集することができ、商品販売に関する分析などに役立てることができる。
【考案の効果】
【０００８】
以上より、本考案によれば、人手を使うことなく商品販売情報が自動的にセンタへ収集され、商品販売情報の収集が迅速且つ確実に行われる。
【０００９】
また、商品の販売数量のみならず、販売場所、などのデータも一緒に収集することができ、商品販売に関する分析などに役立てることができる。
【図面の簡単な説明】
【００１０】
【図１】本考案の一実施の形態に係る商品販売情報収集システムの全体構成を示す概略構成図である。
【図２】図１に示された商品販売情報収集システムの変更構成を示す概略構成図である。
【図３】前記実施の形態において用いられるカウンタ７の一構成例を示す回路図である。
【図４】前記実施の形態において用いられるリーダライタ８の一構成例を示す回路図である。
【図５】前記実施の形態において、商品出口部付近の商品排出管の改良構成例を示す部分斜視図である。
【考案を実施するための形態】
【００１１】
本考案の実施の形態を図面を参照して説明する。図１は本考案の一実施の形態に係る商品販売情報収集システムの全体構成を示す概略構成図である。図１において、符号１は自動販売機を示す。この自動販売機１は、例えば玩具などを販売するための自動販売機であり、本実施の形態においては、販売機ユニット１ａ，１ｂ，１ｃ，１ｄ，１ｅの５連構造を有している。１つの販売機ユニット（１ａで代表させる。他のユニットについても同じである）は、上下２つの販売機が結合された構造となっており、内部の商品が外部から見て確認できるように形成された透視窓２と、購入者がコインを投入するためのコイン投入口３と、商品の取り出し（すなわち、排出）操作を行うための商品購入指示操作部としてのハンドル部４と、商品を販売機外に排出する商品出口部５とが設けられている。また、販売機ユニット１ａの下段部分にはこの販売機ユニット１ａの電源をオン／オフするための電源スイッチ６が設けられている。さらに、販売機ユニット１ａの頂部には、販売機ユニット１ａの筐体内部に商品の販売数量をカウントするためのカウンタ７が組み込まれている。また、販売機ユニット１ｅの頂部には、上記カウンタ７に加えて、当該販売機ユニット１ｅの筐体内部にデータ集積手段としてのリーダライタ８が設置されている。このリーダライタ８は販売機ユニット１ｅのみに取付けてあればよく販売機ユニット１ａ〜１ｄには取り付けなくてよい。そしてリーダライタ８は、自動販売機１全体，すなわち、販売機ユニット１ａ〜１ｅまでの全ユニットの販売情報をまとめて集計し、その集計結果をセンターへ送信する役目を有している。さらにリーダライタ８はネットワーク９を介してセンターのサーバ１０と接続されている。センターには、上記サーバ１０が設置されている上に、業務の遂行及び管理に必要な業務管理システムが予め設置され、その業務管理システムには業務の遂行及び管理に必要なマスターデータが格納されている。
【００１２】
なお、本実施の形態においては、図１では自動販売機１の構成は、５連構造のものが示されているが、その変形例として、図２には１台の販売機ユニット１ｆからなる自動販売機の変更例（１連構造）が示されている。自動販売機をどのような構造にするかは、設置場所の条件、人の集まり具合を考慮して決定される。但し、図２におけるような、１連のみの構造の自動販売機の場合においても、カウンタ７とリーダライタ８は設置される。さらに、リーダライタ８にオペレータに関するデータを入力したり、或いはオペレータからの指示を入力するために、リーダライタ８は携帯電話２０やＰＤＡ（携帯端末）２１と通信接続できるようになっている。
【００１３】
図３は本実施の形態において用いられるカウンタ７の一構成例を示す回路図である。このカウンタ７は、商品が販売されたことを検知すべくセンサとしての機能を有するスイッチ１１と、スイッチ１１の動作を基に論理演算を実行するロジック回路１２と、ロジック回路１２において論理演算に必要なデータを保持するＲＦＩＤチップ１３と、ロジック回路１２に電力を供給するバッテリ１４とから成る。ロジック回路１２からは、演算により得られたカウンタ値がリーダライタ８へ出力される。バッテリ１４としては、ソーラー電池、小型リチウム電池など各種の電池を用いることができる。また、電池の代わりに通常の電源（交流電源）を用いることも可能である。
【００１４】
また、図４は本実施の形態において用いられるリーダライタ８の一構成例を示す回路図である。このリーダライタ８は、カウンタ値のデータが集積されるデータ保持部１５と、保持されたデータをセンターへ送信する通信部１６と、上記データ保持部１５および通信部１６に電力を供給するバッテリ１７とから成る。データ保持部１５はメモリを備えており、このデータ保持部１５には各販売機ユニット１ａ〜１ｅのカウンタ７から出力されたカウンタ値が入力（データ入力）され、メモリに格納保持される。通信部１６はＤｏＰａなどの通信方式による無線通信手段が用いられ、ネットワーク９を介してセンターのサーバ１０との間でデータ伝送が行えるようになっている。なお、通信部１６にはＤｏＰａ以外の通信方式による通信手段を採用することもでき、また、通信の方法は無線でも有線でもよい。またネットワーク９としてはインターネット、或いは他の公衆回線などを用いることができる。バッテリ１７としては、ソーラー電池、小型リチウム電池など各種の電池を用いることができる。また、電池の代わりに通常の電源（交流電源）を用いることも可能である。なお、カウンタ７とリーダライタ８との間も有線または無線で接続することができる。
【００１５】
以上の構成を有する商品販売情報収集システムについて、以下動作を説明する。商品の販売をカウントするためのカウント部（検知部）は１台の販売機ユニット１ａについて種々の場所のいずれかに設けることができる。例えば購入者がお金を入れたときにスイッチオンするようにコイン投入口３の内部にコイン検知器を取り付けてもよいし、購入者が商品の取り出し操作を行うためのハンドル部４に操作検知器を取り付けてもよい。さらに商品出口部５に商品検知器を取り付けてもよい。この、商品出口部５に商品検知器を取り付ける構造としては、例えば商品の出口通路内にワイヤを商品に接触するように設置するとともにそのワイヤにマイクロスイッチを連結しておき、商品が商品出口部５から排出されるときにワイヤに接触してマイクロスイッチをオン動作させ、カウント動作を行わせるという構成がある。
【００１６】
また、その他のカウント方法として、カウンタ７による読み取り方法について一例を説明する。第１の例としては、商品出口部５付近にＩＣチップ用スキャナを配置しておく一方、個々の商品にはＩＣタグ（チップ）を印刷しておく。そして、購買者の操作により商品が商品出口部５から排出されるときに商品に印刷したＩＣタグを読み取ってカウント値やオペレータ情報、店舗情報、或いは販売機ユニット１ａの面情報（１つの販売機ユニットが上下２つの販売機の結合構造となっているうちの上の面か、下の面かの情報）などのデータを取得する。
【００１７】
第２の例としては、商品出口部５付近にＱＲコード用スキャナを配置しておく一方、個々の商品にはＱＲコード（二次元バーコードともいう）を印刷しておく。そして、購買者の操作により商品が商品出口部５から排出されるときに商品に印刷したＱＲコードを読み取ってカウント値やオペレータ情報、店舗情報、或いは販売機ユニット１ａの面情報などのデータを取得する。ＱＲコードは格納されているデータが多いため、商品が排出されるときの商品の姿勢によっては短い時間にＱＲコード用スキャナにより全部のＱＲコードデータを読み取ることが困難な場合があり得る。すなわち、ＱＲコード用スキャナに対して排出される商品に印刷されたＱＲコード部分が後方にある（商品の陰になっている）場合はＱＲコードの読み取りは難しくなる。したがって、本実施の形態においては、図５に示すように商品出口部５付近の商品排出管２２の内面に鏡面部２３を設け、反射を利用してＱＲコードの読み取りを行うようにしている。
【００１８】
検知器の検知動作はカウンタ７におけるスイッチ１１の動作として入力される。そして、商品が購入されるごとにカウンタ７によりカウントされる。カウントされたカウント値データはカウンタ７から出力されリーダライタ８のデータ保持部１５に集積される。リーダライタ８に集積されたデータは、定期的に出た保持部１５から読み出され、通信部１６の動作によりセンターのサーバ１０へ送信される。リーダライタ８からサーバ１０へのデータの送信時期についてはオペレータにより日時設定が可能である。例えば１日に１回、或いは２回などと設定することができる。
【００１９】
サーバ１０へ送付されたデータは本実施の形態における商品販売情報収集システム内のマスタデータと照合され、その送付されたデータおよび照合結果が本部のコンピュータの画面に表示されたり、帳票へ出力される。照合するために必要なデータはカウンタ値データの他に例えば店舗情報（その自動販売機が設置されている店舗の情報）などがあり、これら店舗情報などは自動販売機１を設置するときにリーダライタ８に登録しておく。オペレータ情報に関しては携帯電話２０もしくはＰＤＡ２１からリーダライタ８へ送付し、店舗情報、カウンタ値データと結合させ、センターのサーバ１０へ送信される。以上のように、自動販売機において収集された店舗情報、カウンタ値データなどがセンターのサーバ１０へ送信されることにより、センターでは、予め設置されていた業務管理システムのマスターデータと上記店舗情報、カウンタ値データなどを連携させることができる。これにより、自動販売機が設置された店舗の場所、販売されている商品の種類、商品の売り上げ個数、商品の在庫などのデータがセンターに分り、これらのデータを分析して事業展開に役立てることが可能になる。その事業展開への利用としては、収集したデータを基に売り上げ予測ができ、その予測に基づいて、業務活動の修正（例えば商品の補充頻度の変更、販売商品の入れ替えなど）ができるためチャンスロス（売り上げられたであろう機会の喪失）をなくすことができたり、或いは効率的な営業を行うことができる。
【００２０】
以上の動作により自動販売機における商品販売情報は、一旦自動販売機１のリーダライタ８に格納保持された後サーバ１０に送付されて集計されるため、人の手を借りなくても売り上げ情報収集することができ、効率の良い商品販売情報の収集を行うことができる。
【産業上の利用可能性】
【００２１】
本考案による商品販売情報収集システムは、人の手を使わなくても各所に設置した自動販売機において販売された商品の販売情報を確実に収集してセンターに送ることができる。
【符号の説明】
【００２２】
１ 自動販売機
１ａ〜１ｆ 販売機ユニット
２ 透視窓
３ コイン投入口
４ ハンドル部
５ 商品出口部
６ 電源スイッチ
７ カウンタ
８ リーダライタ
９ ネットワーク
１０ サーバ
１１ スイッチ
１２ ロジック回路
１３ ＲＦＩＤチップ
１４、１７ バッテリ
１５ データ保持部
１６ 通信部
２０ 携帯電話
２１ ＰＤＡ（携帯端末）
【図１】
0003172472.tif 000003
【図２】
0003172472.tif 000004
【図３】
0003172472.tif 000005
【図４】
0003172472.tif 000006
【図５】
0003172472.tif 000007